(57)【要約】【課題】アクセス制御モデルを変更した場合であってもアプリケーションプログラムを変更することなく動作させることが可能な情報処理装置を提供する。【解決手段】本発明は、情報処理基盤にアクセスするためのアクセス制御オブジェクト２３を、アプリケーションプログラムと、識別情報（ＩＤ）とを関連付けた認証テーブル２２により管理する。アクセス制御オブジェクト２３は、ＩＤ記憶部２４を有しており、このＩＤ記憶部２４に記憶されたＩＤと、認証テーブル２２とを参照することにより、アクセス制御オブジェクトを送信する対象となるアプリケーションプログラムが決定される。【選択図】図２
2006252156.tif 000002
【特許請求の範囲】
【請求項１】
アプリケーションプログラムと、前記アプリケーションプログラムにアクセス可能な識別情報とを関連付けて記憶するテーブルと、
センサなどの外部装置からの入力データを受信し、この受信した入力データの識別情報を情報処理装置からアプリケーションプログラムにアクセスするためのアクセス制御オブジェクトに書き込む第１の書き込み手段と、
前記アクセス制御オブジェクトに書き込まれた識別情報に基づいて、前記テーブルを参照することにより、アクセス可能なアプリケーションプログラムを決定する第１の決定手段と、
前記決定されたアプリケーションプログラムが前記アクセス制御オブジェクト及び前記受信した入力データを受信する手段として機能させた情報処理装置の受信手段に前記アクセス制御オブジェクト及び前記受信した入力データを送信する手段と、
前記決定されたアプリケーションプログラムが前記送信したアクセス制御オブジェクト及び前記送信した入力データを送信する手段として機能させた情報処理装置の送信手段から前記送信したアクセス制御オブジェクト及び前記送信した入力データに基づく結果情報を受信する手段と、
前記受信したアクセス制御オブジェクトに前記決定されたアプリケーションプログラムの識別情報を書き込む第２の書き込み手段と、
前記受信した結果情報及び前記アクセス制御オブジェクトに書き込まれた識別情報に基づいて、前記テーブルを参照することにより、アクセス可能なアプリケーションプログラムを決定する第２の決定手段と
を具備することを特徴とする情報処理装置。
【請求項２】
前記第２の決定手段により決定されたアプリケーションプログラムが前記受信した結果情報及び前記第２の書き込み手段によって識別情報が書き込まれたアクセス制御オブジェクトを受信する手段として機能させた情報処理装置の受信手段に前記受信した結果情報及び前記第２の書き込み手段によって識別情報が書き込まれたアクセス制御オブジェクトを送信する手段をさらに具備することを特徴とする請求項１記載の情報処装置。
【請求項３】
情報処理基盤と、
前記情報処理基盤上で動作する複数のアプリケーションプログラムとを具備する情報処理システムにおいて、
前記情報処理基盤は、
アプリケーションプログラムと、前記アプリケーションプログラムにアクセス可能な識別情報とを関連付けて記憶するテーブルと、
センサなどの外部装置からの入力データを受信し、この受信した入力データの識別情報を情報処理基盤からアプリケーションプログラムにアクセスするためのアクセス制御オブジェクトに書き込む第１の書き込み手段と、
前記アクセス制御オブジェクトに書き込まれた識別情報に基づいて、前記テーブルを参照することにより、アクセス可能なアプリケーションプログラムを決定する第１の決定手段と、
前記決定されたアプリケーションプログラムが前記アクセス制御オブジェクト及び前記受信した入力データを受信する手段として機能させた情報処理基盤の受信手段に前記アクセス制御オブジェクト及び前記受信した入力データを送信する手段とを具備し、
前記決定されたアプリケーションプログラムは、
前記情報処理基盤に前記情報処理基盤から送信された入力データに基づく処理と、この処理の結果情報及びアクセス制御オブジェクトを前記情報処理基盤に送信する処理とを実行させ、
前記情報処理基盤は、さらに、
前記決定されたアプリケーションプログラムが前記送信したアクセス制御オブジェクト及び前記送信した入力データを送信する手段として機能させた情報処理基盤の送信手段から前記送信したアクセス制御オブジェクト及び前記送信した入力データに基づく結果情報を受信する手段と、
前記受信したアクセス制御オブジェクトに前記決定されたアプリケーションプログラムの識別情報を書き込む第２の書き込み手段と、
前記受信した結果情報及び前記アクセス制御オブジェクトに書き込まれた識別情報に基づいて、前記テーブルを参照することにより、アクセス可能なアプリケーションプログラムを決定する第２の決定手段と
を具備することを特徴とする情報処理システム。
【請求項４】
前記情報処理基盤は、前記第２の決定手段により決定されたアプリケーションプログラムが前記受信した結果情報及び前記第２の書き込み手段によって識別情報が書き込まれたアクセス制御オブジェクトを受信する手段として機能させた情報処理基盤の受信手段に前記受信した結果情報及び前記第２の書き込み手段によって識別情報が書き込まれたアクセス制御オブジェクトを送信する手段をさらに具備することを特徴とする請求項３記載の情報処理システム。
【請求項５】
アプリケーションプログラムと、前記アプリケーションプログラムにアクセス可能な識別情報とを関連付けて記憶するテーブルと、
情報処理装置からアプリケーションプログラムにアクセスするためのアクセス制御オブジェクトに識別情報を書き込む手段と、
前記アクセス制御オブジェクトに書き込まれた識別情報及び前記テーブルを参照することにより、アクセスするアプリケーションプログラムを決定する手段と、
前記決定されたアプリケーションプログラムが前記アクセス制御オブジェクトを受信する手段として機能させた情報処理装置の受信手段に前記アクセス制御オブジェクトを送信する手段と
を具備することを特徴とする情報処理装置。
【請求項６】
アプリケーションプログラムと、前記アプリケーションプログラムにアクセス可能な識別情報とを関連付けて記憶するテーブルを具備する情報処理装置におけるアプリケーションプログラムに対するアクセス方法において、
センサなどの外部装置からの入力データを受信し、この受信した入力データの識別情報を情報処理装置からアプリケーションプログラムにアクセスするためのアクセス制御オブジェクトに書き込み、
前記アクセス制御オブジェクトに書き込まれた識別情報に基づいて、前記テーブルを参照することにより、アクセス可能なアプリケーションプログラムを決定し、
前記決定されたアプリケーションプログラムが前記アクセス制御オブジェクト及び前記受信した入力データを受信する手段として機能させた情報処理装置の受信手段に前記アクセス制御オブジェクト及び前記受信した入力データを送信し、
前記決定されたアプリケーションプログラムが前記送信したアクセス制御オブジェクト及び前記送信した入力データを送信する手段として機能させた情報処理装置の送信手段から前記送信したアクセス制御オブジェクト及び前記送信した入力データに基づく結果情報を受信し、
前記受信したアクセス制御オブジェクトに前記決定されたアプリケーションプログラムの識別情報を書き込み、
前記受信した結果情報及び前記アクセス制御オブジェクトに書き込まれたアプリケーションプログラムの識別情報に基づいて、前記テーブルを参照することにより、アクセス可能なアプリケーションプログラムを決定することを特徴とするアクセス方法。
【請求項７】
前記決定されたアプリケーションプログラムが前記受信した結果情報及び前記第２の書き込み手段によって識別情報が書き込まれたアクセス制御オブジェクトを受信する手段として機能させた情報処理装置の受信手段に前記受信した結果情報及び前記アプリケーションプログラムの識別情報が書き込まれたアクセス制御オブジェクトを送信するステップをさらに具備することを特徴とする請求項６記載のアクセス方法。
【請求項８】
アプリケーションプログラムと、前記アプリケーションプログラムにアクセス可能な識別情報とを関連付けて記憶するテーブルを具備する情報処理装置におけるアプリケーションプログラムに対するアクセス方法において、
情報処理装置からアプリケーションプログラムにアクセスするためのアクセス制御オブジェクトに識別情報を書き込み、
前記アクセス制御オブジェクトに書き込まれた識別情報及び前記テーブルを参照することにより、アクセスするアプリケーションプログラムを決定し、
前記決定されたアプリケーションプログラムが前記アクセス制御オブジェクトを受信する手段として機能させた情報処理装置の受信手段に前記アクセス制御オブジェクトを送信することを特徴とするアクセス方法。
【請求項９】
アプリケーションプログラムと、前記アプリケーションプログラムにアクセス可能な識別情報とを関連付けて記憶するテーブルを具備する情報処理装置におけるアプリケーションプログラムに対するアクセスを実現するプログラムにおいて、
前記情報処理装置に、
センサなどの外部装置からの入力データを受信し、この受信した入力データの識別情報を情報処理装置からアプリケーションプログラムにアクセスするためのアクセス制御オブジェクトに書き込ませ、
前記アクセス制御オブジェクトに書き込まれた識別情報に基づいて、前記テーブルを参照することにより、アクセス可能なアプリケーションプログラムを決定させ、
前記決定されたアプリケーションプログラムが前記アクセス制御オブジェクト及び前記受信した入力データを受信する手段として機能させた情報処理装置の受信手段に前記アクセス制御オブジェクト及び前記受信した入力データを送信させ、
前記決定されたアプリケーションプログラムが前記送信したアクセス制御オブジェクト及び前記送信した入力データを送信する手段として機能させた情報処理装置の送信手段から前記送信したアクセス制御オブジェクト及び前記送信した入力データに基づく結果情報を受信させ、
前記受信したアクセス制御オブジェクトに前記決定されたアプリケーションプログラムの識別情報を書き込ませ、
前記受信した結果情報及び前記アクセス制御オブジェクトに書き込まれたアプリケーションプログラムの識別情報に基づいて、前記テーブルを参照することにより、アクセス可能なアプリケーションプログラムを決定させることを特徴とするプログラム。
【請求項１０】
アプリケーションプログラムと、前記アプリケーションプログラムにアクセス可能な識別情報とを関連付けて記憶するテーブルを具備する情報処理装置におけるアプリケーションプログラムに対するアクセスを実現するプログラムにおいて、
前記情報処理装置に、
情報処理装置からアプリケーションプログラムにアクセスするためのアクセス制御オブジェクトに識別情報を書き込ませ、
前記アクセス制御オブジェクトに書き込まれた識別情報及び前記テーブルを参照することにより、アプリケーションプログラムを決定させ、
前記決定されたアプリケーションプログラムが前記アクセス制御オブジェクトを受信する手段として機能させた情報処理装置の受信手段に前記アクセス制御オブジェクトを送信することを特徴とするプログラム。
【発明の詳細な説明】
【技術分野】
【０００１】
本発明は、複数のアプリケーションプログラムからアクセス可能な情報処理装置に関する。
【背景技術】
【０００２】
１つの情報処理基盤上で複数のアプリケーションプログラムが動作するシステムが従来より存在する。このようなシステムにおいては、情報処理基盤及びアプリケーションプログラムが互いにアクセスするための機能を有しており、アプリケーションプログラムに認証機能が組み込まれていることからアプリケーションプログラムと認証方法との関係が固定されている（非特許文献１参照。）。
【０００３】
【非特許文献１】「ＳＭＴＰ認証の用語説明」、ＩＩＪｍｉｏ用語解説、株式会社  インターネットイニシアティブ  ＜http://www.iijmio.jp/guide/faq/terms/s-z.php#2>
【発明の開示】
【発明が解決しようとする課題】
【０００４】
したがって、従来のシステムにおいては、情報処理基盤を変更するなどの理由によりアクセス制御モデルを変更した場合には、当該情報処理基板上で動作するアプリケーションプログラムを再度開発しなくてはならなくなるという問題があった。
本発明は、上記実情に鑑みてなされたものであり、アクセス制御モデルを変更した場合であってもアプリケーションプログラムを変更することなく動作させることが可能な情報処理装置を提供することを目的とする。
【課題を解決するための手段】
【０００５】
上記目的を達成するために、本発明の第１の発明によれば、アプリケーションプログラムと、前記アプリケーションプログラムにアクセス可能な識別情報とを関連付けて記憶するテーブルと、センサなどの外部装置からの入力データを受信し、この受信した入力データの識別情報を情報処理装置からアプリケーションプログラムにアクセスするためのアクセス制御オブジェクトに書き込む第１の書き込み手段と、前記アクセス制御オブジェクトに書き込まれた識別情報に基づいて、前記テーブルを参照することにより、アクセス可能なアプリケーションプログラムを決定する第１の決定手段と、前記決定されたアプリケーションプログラムが前記アクセス制御オブジェクト及び前記受信した入力データを受信する手段として機能させた情報処理装置の受信手段に前記アクセス制御オブジェクト及び前記受信した入力データを送信する手段と、前記決定されたアプリケーションプログラムが前記送信したアクセス制御オブジェクト及び前記送信した入力データを送信する手段として機能させた情報処理装置の送信手段から前記送信したアクセス制御オブジェクト及び前記送信した入力データに基づく結果情報を受信する手段と、前記受信したアクセス制御オブジェクトに前記決定されたアプリケーションプログラムの識別情報を書き込む第２の書き込み手段と、前記受信した結果情報及び前記アクセス制御オブジェクトに書き込まれた識別情報に基づいて、前記テーブルを参照することにより、アクセス可能なアプリケーションプログラムを決定する第２の決定手段とを具備することを特徴とする情報処理装置、である。
【０００６】
また、本発明の第２の発明によれば、第１の発明において、前記第２の決定手段により決定されたアプリケーションプログラムが前記受信した結果情報及び前記第２の書き込み手段によって識別情報が書き込まれたアクセス制御オブジェクトを受信する手段として機能させた情報処理装置の受信手段に前記受信した結果情報及び前記第２の書き込み手段によって識別情報が書き込まれたアクセス制御オブジェクトを送信する手段をさらに具備することを特徴とする。
【０００７】
さらに、本発明の第３の発明によれば、情報処理基盤と、前記情報処理基盤上で動作する複数のアプリケーションプログラムとを具備する情報処理システムにおいて、前記情報処理基盤は、アプリケーションプログラムと、前記アプリケーションプログラムにアクセス可能な識別情報とを関連付けて記憶するテーブルと、センサなどの外部装置からの入力データを受信し、この受信した入力データの識別情報を情報処理基盤からアプリケーションプログラムにアクセスするためのアクセス制御オブジェクトに書き込む第１の書き込み手段と、前記アクセス制御オブジェクトに書き込まれた識別情報に基づいて、前記テーブルを参照することにより、アクセス可能なアプリケーションプログラムを決定する第１の決定手段と、前記決定されたアプリケーションプログラムが前記アクセス制御オブジェクト及び前記受信した入力データを受信する手段として機能させた情報処理基盤の受信手段に前記アクセス制御オブジェクト及び前記受信した入力データを送信する手段とを具備し、前記決定されたアプリケーションプログラムは、前記情報処理基盤に前記情報処理基盤から送信された入力データに基づく処理と、この処理の結果情報及びアクセス制御オブジェクトを前記情報処理基盤に送信する処理とを実行させ、前記情報処理基盤は、さらに、前記決定されたアプリケーションプログラムが前記送信したアクセス制御オブジェクト及び前記送信した入力データを送信する手段として機能させた情報処理基盤の送信手段から前記送信したアクセス制御オブジェクト及び前記送信した入力データに基づく結果情報を受信する手段と、前記受信したアクセス制御オブジェクトに前記決定されたアプリケーションプログラムの識別情報を書き込む第２の書き込み手段と、前記受信した結果情報及び前記アクセス制御オブジェクトに書き込まれた識別情報に基づいて、前記テーブルを参照することにより、アクセス可能なアプリケーションプログラムを決定する第２の決定手段とを具備することを特徴とする情報処理システム、である。
【０００８】
さらに、本発明の第４の発明によれば、アプリケーションプログラムと、前記アプリケーションプログラムにアクセス可能な識別情報とを関連付けて記憶するテーブルと、情報処理装置からアプリケーションプログラムにアクセスするためのアクセス制御オブジェクトに識別情報を書き込む手段と、前記アクセス制御オブジェクトに書き込まれた識別情報及び前記テーブルを参照することにより、アクセスするアプリケーションプログラムを決定する手段と、前記決定されたアプリケーションプログラムが前記アクセス制御オブジェクトを受信する手段として機能させた情報処理基盤の受信手段に前記アクセス制御オブジェクトを送信する手段とを具備することを特徴とする情報処理装置、である。
【発明の効果】
【０００９】
本発明によれば、アクセス制御モデルを変更した場合であってもアプリケーションプログラムを変更することなく動作させることが可能な情報処理装置を提供することができる。
【発明を実施するための最良の形態】
【００１０】
以下、図面を参照して、本発明の実施の形態に係る情報処理システムについて説明する。
図１は、本発明の実施の形態に係る情報処理システムの全体構成を示す図である。同図に示すように、このシステムは、煙センサ１、情報処理基盤２、火災検知アプリケーション３、火災通知アプリケーション４及び警報装置５を具備している。
【００１１】
煙センサ１は、煙に関するセンシングデータを情報処理装置である情報処理基盤２にＬＡＮなどのネットワークを介して情報処理基盤２に送信する。
情報処理基盤２は、煙センサ１から送信されたセンシングデータを受信し、この受信したセンシングデータ及びアクセス制御オブジェクトを情報処理基盤２上で動作するアプリケーションプログラムに引き渡す処理、アプリケーションプログラムから結果情報を受信し、この受信した結果情報に基づく処理などを行なう。この情報処理基盤２の動作の詳細については、後述する。
【００１２】
火災検知アプリケーションプログラム３は、情報処理基盤２上で動作するプログラムであって、情報処理基盤２から送信されるセンシングデータに基づいて火災検知を行なうための処理を行ない、その結果を情報処理基盤２から送信されるアクセス制御オブジェクトを使用して情報処理基盤２に対してアクセスを行なってアクセス制御オブジェクトともに送信する。
【００１３】
火災通知アプリケーションプログラム４は、情報処理基盤２上で動作するプログラムであって、情報処理基盤２から送信される火災検知アプリケーションプログラム３の判断結果に基づいて火災通知を行なうための処理を行ない、その結果を情報処理基盤２から送信されるアクセス制御オブジェクトを使用して情報処理基盤２に対してアクセスを行なってアクセス制御オブジェクトともに送信する。
【００１４】
警報装置５は、情報処理基盤２からの通知に基づいて警報処理を行なう。
図２は、情報処理基盤のハードウェア構成を示す図である。
同図に示すように、情報処理基盤２は、バス１０に接続された外部インターフェイス１１、メモリ１２、ＣＰＵ１３及びＨＤＤ１４を具備している。
【００１５】
外部インターフェイス１１は、情報処理基盤２外部との通信を行なうためのインターフェイスである。
メモリ１２は、ＣＰＵ１３によって実行されるアクセス制御プログラム２１のワークエリアなどとして使用される。
ＣＰＵ１３は、アクセス制御プログラム２１を実行することにより、情報処理基盤２の動作全体を制御するものである。
【００１６】
ＨＤＤ１４は、アクセス制御プログラム２１、認証テーブル２２及びアクセス制御オブジェクト２３を記憶している。アクセス制御オブジェクト２３は、ＩＤ記憶部２４を具備している。
アクセス制御プログラム２１は、情報処理基盤２全体の動作を司るプログラムであり、図５に示すフローチャートの処理を実現する。
【００１７】
認証テーブル２２は、アプリケーションプログラムに処理を引き渡す際の認証に使用されるものである。図３は認証テーブルの一例を示す図である。同図に示すように、各アプリケーションプログラム毎に、認証のために必要とされる識別情報（ＩＤ）が記録されている。
【００１８】
本実施の形態においては、火災検知アプリケーションプログラム３を動作させるためには煙センサ１のＩＤが必要であり、火災通知アプリケーションプログラム４を動作させるためには煙センサ１のＩＤ及び火災検知アプリケーションプログラム３のＩＤが必要である。
【００１９】
アクセス制御オブジェクト３は、情報処理基盤２とのアクセス制御を行なうオブジェクトであり、ＩＤ記憶部２４を有する。このＩＤ記憶部２４には、情報処理基盤２によってＩＤが書き込まれる。
図４は、情報処理基盤の機能ブロック図である。
同図に示すように、情報処理基盤２は、センシングデータ受信部３１、アクセス制御オブジェクト生成部３２、ＩＤ追加部３３、ＩＤ検証部３４、アプリケーション起動部３５及びアプリケーション結果受信部３６を有している。
【００２０】
センシングデータ受信部３１は、センサからのセンシングデータを受信する。
アクセス制御オブジェクト生成部３２は、センシングデータ受信部３１がセンシングデータを受信すると、アクセス制御オブジェクトを生成する。
ＩＤ追加部３３は、アクセス制御オブジェクト生成部３２によって生成されたアクセス制御オブジェクトにセンシングデータのＩＤを書き込む。
【００２１】
ＩＤ検証部３４は、認証テーブル２２及びアクセス制御オブジェクトに書き込まれたセンシングデータのＩＤに基づいて、アクセス制御オブジェクトなどを渡すアプリケーションプログラムを決定する。
アプリケーション起動部３５は、ＩＤ検証部において決定されたアプリケーションプログラムにアクセス制御オブジェクトなどを渡すとともに、当該アプリケーションプログラムを起動する。
【００２２】
アプリケーション結果受信部３６は、アプリケーションプログラムからアクセス制御オブジェクト、判断結果などの情報を受け取り、ＩＤ追加部３３における処理に引き渡す。
次に、本発明の実施の形態に係る情報処理基盤の動作について、図５のフローチャートを参照して説明する。
【００２３】
煙センサ１からセンシングデータを受信すると（Ｓ１）、情報処理基盤とアクセスを行なうためのアクセス制御オブジェクトが生成され（Ｓ２）、当該生成されたアクセス制御オブジェクトに煙センサ１のＩＤが書き込まれる（Ｓ３）。
その後、アクセス制御オブジェクトに書き込まれた煙センサのＩＤに基づいて、認証テーブル２２を参照することにより、アクセス制御オブジェクトを引き渡す対象となるアプリケーションプログラムが存在するか否かの判断が行なわれる（Ｓ４）。ここでは、図３に示す認証テーブルを参照することにより、煙センサのＩＤのみによって認証が成立する火災検知アプリケーションプログラム３が決定される。
【００２４】
Ｓ４においてアクセス制御オブジェクトを引き渡す対象となるアプリケーションプログラムが存在しないと判断された場合には処理を終了する。一方、存在すると判断された場合には、火災検知アプリケーションプログラム３を起動するとともに、センシングデータ及びアクセス制御オブジェクトを引き渡す（Ｓ５）。
【００２５】
なお、異なるセンサ、例えば、降雨センサから到着したセンシングデータに対しては、降雨センサのＩＤが書き込まれたアクセス制御オブジェクトが生成される。この降雨センサのＩＤが書き込まれたアクセス制御オブジェクトには、煙センサのＩＤがないことから火災検知アプリケーションプログラム３は起動されない。
【００２６】
火災検知アプリケーションプログラム３は、センシングデータから火災発生を判断し、判断結果及びアクセス制御オブジェクトを情報処理基盤２に返す。情報処理基盤２は、火災検知アプリケーションプログラム３から送信された判断結果及びアクセス制御オブジェクトを受信する（Ｓ６）。
【００２７】
その後、情報処理基盤２はアクセス制御オブジェクトに火災検知アプリケーションプログラム３のＩＤを追加して書き込む（Ｓ７）。次に、火災検知アプリケーションプログラム３から送られてきた判断結果が火災発生を示しているか否かの判断が行なわれる（Ｓ８）。
【００２８】
Ｓ８において、判断結果が火災発生を示していない場合には処理を終了する。一方、火災発生を示している場合には、受信したアクセス制御オブジェクトに書き込まれたＩＤに対応するアプリケーションプログラムが存在するか否かの判断が認証テーブルを参照することにより行なわれる（Ｓ９）。Ｓ９において、存在しないと判断された場合には処理を終了する。
【００２９】
ここでは、煙センサのＩＤ及び火災検知アプリケーションプログラム３のＩＤに対応する火災通知アプリケーションプログラム４が存在するので、火災通知アプリケーションプログラム４を起動して、火災検知アプリケーションプログラム３の判断結果及びアクセス制御オブジェクトを火災通知アプリケーションプログラム４に引き渡し（Ｓ１０）、処理を終了する。その後、火災通知アプリケーションプログラム４は、情報処理基盤２を介して警報装置５へ警報を通知する。
【００３０】
したがって、本発明の実施の形態によれば、認証テーブルによりアクセス制御オブジェクトを管理することにより、アプリケーションモデルを変更することなく、アクセス制御モデルを変更することができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３１】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【図面の簡単な説明】
【００３２】
【図１】本発明の実施の形態に係る情報処理システムの全体構成を示す図である。
【図２】情報処理基盤のハードウェア構成を示す図である。
【図３】認証テーブルの一例を示す図である。
【図４】情報処理基盤の機能ブロック図である。
【図５】本発明の実施の形態に係る情報処理基盤の動作について説明するためのフローチャートである。
【符号の説明】
【００３３】
１…煙センサ、２…情報処理基盤、３…火災検知アプリケーションプログラム、４…火災通知アプリケーションプログラム、５…警報装置、１０…バス、１１…外部インターフェイス、１２…メモリ、１３…ＣＰＵ、１４…ＨＤＤ、２１…アクセス制御プログラム、２２…認証テーブル、２３…アクセス制御オブジェクト、２４…ＩＤ記憶部。
【図１】
2006252156.tif 000003
【図２】
2006252156.tif 000004
【図３】
2006252156.tif 000005
【図４】
2006252156.tif 000006
【図５】
2006252156.tif 000007